(57)【要約】【課題】本発明は祭典において参加者が皆で楽しめる１枚の印画紙からできる写真を用いた紙製の装飾品を得ることにある。【解決手段】差込み片または切り込みをもち、写真、イラストおよび飾り文字を紋様として配置した２つの部品を１枚の用紙に印刷する。裁断後、２つの部品を切り込みに差込み片を差込むことで箱型に成形する。この紙製の装飾品を祭典の際に卓上に設置し、さらに、飾り文字を用いて記念撮影をし、終了後、参加者に記念として持ち帰らせる。【選択図】図２
2011152350.tif 000002
【特許請求の範囲】
【請求項１】
１枚の印画紙からできる差込み片または切り込みをもつ２つの部品を、差込み片を切り込みに差し込んで箱型に成形することを特徴とする写真を用いた紙製の装飾品。
【請求項２】
請求項１記載の装飾品に写真、イラストおよび飾り文字を紋様として配置し、印刷することを特徴とする写真を用いた装飾品。
【発明の詳細な説明】
【技術分野】
【０００１】
この発明は、写真を用いた紙製の装飾品に関するものである。
【背景技術】
【０００２】
スクラップブッキングは写真を装飾し、展示して楽しむ方法である。スクラップブッキングの一種として、立方体に写真を複数貼付し、装飾して展示するような考案が発表されている。
【先行技術文献】
【非特許文献】
【０００３】
【非特許文献１】キヤノン株式会社 クリエイティブパーク・ホームページ  http://cp.c-ij.com/ja/contents/3178/cube-wedding001/index.html
【発明の概要】
【発明が解決しようとする課題】
【０００４】
しかしながら、非特許文献１で示された作製法では、作成の途上で廃棄される紙片が多かった。また、個人の写真を装飾して自ら楽しむための技術であり、大量生産はできず、また集団での利用法は示されていなかった。
【０００５】
そこで、この発明では、作製法を改め、廃棄する紙片を少なくし、１枚の用紙から作成する装飾品を大きくした。また、複数の装飾品を用いて結婚式などの祭典において参加者が皆で楽しめるようにした。
【課題を解決するための手段】
【０００６】
印画紙１枚に差込み片を持つ部品と、その差込み片に対応する切り込みを持つ部品とを配置する。それぞれの部品に、装飾のための紋様３面を配置する。紋様は写真およびイラストまたは飾り文字を用いて作図する。
紋様を印刷した後に、印画紙を２つの部品に裁断し、差込み片と切り込みを組み合わせて箱型に成形する。
本発明は、以上の構成よりなる写真を用いた紙製の装飾品である。
【発明の効果】
【０００７】
本発明の作製法によりにより、廃棄する紙片を減らせるとともに、印画紙を有効に活用し１枚の印画紙から作成できる装飾品が大きくできた。
また、本発明の装飾品は、卓上に展示し、鑑賞する他、複数の装飾品を用いて祭典などの際に記念撮影の被写体として用いることができる。
さらに、接着していない差込みをはずし、祭典後に折りたたんで持ち帰り、記念の品として後々まで鑑賞することが可能である。
【図面の簡単な説明】
【０００８】
【図１】この発明の一実施形態である立方形をした装飾品の設計図である。実線が切り取り線、点線が山折りとする線である。
【図２】この発明の一実施形態である立方形をした装飾品を組立てる途中の状態を示す。
【図３】この発明の一実施形態である立方形をした装飾品が完成した状態を示す斜視図である。
【図４】この発明の一実施形態である立方形をした装飾品の紋様を入れた設計図である。
【図５】この発明の複数の装飾品を用いて装飾に用いた実施例である。
【図６】この発明の他の実施形態である二辺のみ接着した装飾品を組立てる途中の状態を示す。
【発明を実施するための形態】
【０００９】
この発明の一実施形態である立方形をした装飾品の設計図を図１に示す。本実施例では紋様の面積を大きくとるため、中央の折り込みと差し込み片を左右で切りわけている。
これに、図４のように、写真またはイラストまたは飾り文字で一枚の印画紙に６面の紋様を配置する。紋様の作成にあたっては立方体の側面ＤおよびＥに相当する領域は180度反転して作成する。
【００１０】
印画紙に作図した紋様を印刷し、設計図に基づき差込み片と切り込みを持つ２つの部品に裁断する。図２のように、差込み片を図４で同一の番号で対応させた切り込みに差し込むことで、接着せず装飾品を作成する。
【００１１】
このように作成された複数の装飾品を、宴卓などに積み上げる。また、記念撮影において、参加者が装飾品を持ち飾り文字をカメラにむけて記念撮影の被写体とする。
【００１２】
以降は紋様の一例を述べる。
装飾品の上面（Ａ）には、数枚の小写真（ａ，ｂ，ｃ，ｄ）を配置するほか、数枚のイラストを配置する。
【００１３】
側面４面に写真を大きく配置する。
婚礼用の例では、２面（Ｃ、Ｅ）に婚礼に参列する予定の者が被写体となっている写真や新郎・新婦の交際中の写真を配置する（ｅ，ｆ，ｇ）。前面となる１面（Ｂ）に前撮撮影など正装で撮影した新郎・新婦の写真（ｈ）を配置する。残り１面（Ｄ）に挙式・披露宴会場の写真（ｉ）と簡単な迎賓の挨拶を配置する。
【００１４】
記念撮影の被写体として用いるために底面（Ｆ）に飾り文字またはイラストを配置する。
【００１５】
装飾品を複数作成し、底面（Ｆ）の飾り文字を並べて言葉ができるようする。
たとえば、底面（Ｆ）に［&#9829;］［Ｈ］［Ａ］［Ｐ］［Ｐ］［Ｙ］［！］の７種類の飾り文字またはイラストが入った７つの装飾品を作成する。これらの装飾品を並べると「&#9829;HAPPY！（幸せ）」の単語ができ、この７つの装飾品を１組として装飾や記念撮影に用いる。
【００１６】
複数の装飾品で異なる写真で紋様を作図して、祭典に出席している者が被写体となっている写真を用いて作成した装飾品をその出席者が着席する宴卓に配置するとよい。
【００１７】
「実施形態の効果」
この実施形態によれば、印面を大きく確保し、紙片の廃棄量を少なくできる。汎用されているＡ４版用紙１枚から一片９ｃｍの立方体の装飾品が１個作成できる。
【００１８】
また、本発明による装飾品は、単に展示装飾に用いるのみでなく、記念撮影の被写体として利用できる。
【００１９】
さらに、接着せず成形していることから、差込み片を外すことで容易に折りたたんで持ち運ぶことができる。祭典においては、参加者自らの写真が掲載された装飾品を記念の品として持ち帰らせ、自宅の装飾にするなど再利用できる。
【００２０】
「他の実施形態」
図６のように、図4で示す１，２，６，７番を付した差込み片の部分をのりしろとして二辺のみ接着し２つの部品を一体とすることも可能である。折りたたんで平面で持ち運ぶことも可能な上、一体となることで装飾品は安定し、組み立てや折りたたみが容易となる。
【００２１】
紋様では、底面の飾り文字として参加者の氏名を記載して席札として各席に配置し、名札代わりに持って記念撮影することも考えられる。
【産業上の利用可能性】
【００２２】
「印刷用紙として利用」
産業として活用するには、家庭用印刷機で用いる印刷用紙として市販が可能である。
【００２３】
図１で示した展開図に基づく切り取り線をミシン目で切り離せるように加工して、折り目に圧線をつけた用紙を印刷用紙として市販する。
【００２４】
1枚の平面の用紙から1つの装飾品が作成できるため、家庭においてパーソナルコンピューターで画像を編集し、印刷機で印刷して、手作りさせる。画像を上下反転させるなど画像の加工が必要なため、画像編集ソフトを添付するとより利便性が向上する。
【００２５】
「写真の印刷方法として利用」
写真の印刷形態として、印画紙に紋様を印刷し、加工して販売する方法も可能である。
【００２６】
編集した紋様を印刷所で印画紙に印刷し、切断、折り目をつける加工をして、受け渡す。
【００２７】
紋様の作成には多数の写真データを扱うため、申込者にトリミングなどを指定させてから注文を受けると過誤を起こしにくく、現在普及しているフォトブックの販売システムで販売することが最適である。
【符号の説明】
【００２８】
Ａ  装飾品の上面
Ｂ  装飾品の前面
Ｃ  装飾品の側面
Ｄ  装飾品の背面
Ｅ  装飾品の側面
Ｆ  装飾品の底面
ａ〜ｈ  写真の位置
１〜１０差込み片
（下線）１〜１０切り込み線（差込み片の番号と対応）
【図１】
2011152350.tif 000003
【図２】
2011152350.tif 000004
【図３】
2011152350.tif 000005
【図４】
2011152350.tif 000006
【図５】
2011152350.tif 000007
【図６】
2011152350.tif 000008